(57)【要約】【課題】席の購入者が個人か団体かを知ることができる席予約装置、席予約方法、席予約プログラムおよび記録媒体を提供する。【解決手段】席予約装置１００では、席情報管理部によって、一連の予約購入の取引において購入者によって選択された複数の席に同一の識別情報が関連付けられ、席ごとの識別情報が席情報テーブルに記憶され、グループ席形成部によって、席情報管理部で席情報テーブルに記憶された同一の識別情報に基づく単一席表示を複数含むグループ席表示２２が形成され、このグループ席表示２２が表示部に表示される。【選択図】図１
2019164439.tif 000002
【特許請求の範囲】
【請求項１】
予約または購入される単一の席を表す単一席表示が複数表示される表示部に、予約または購入の取引済の複数の前記単一席表示をグループ席表示として表示する、
ことを特徴とする席予約装置。
【請求項２】
一連の予約または購入の取引において選択された複数の席に、同一の識別情報を関連付けて記憶させる席情報管理部と、
前記席情報管理部によって記憶された同一の識別情報に基づく前記単一席表示を複数含む前記グループ席表示を形成し、このグループ席表示を前記表示部に表示させるグループ席形成部と、を有する、
ことを特徴とする請求項１に記載された席予約装置。
【請求項３】
出発地から目的地までの複数の区間において、異なる区間における同一の席の識別情報である同一席識別情報、および、同一の区間における同一の前記同一席識別情報を、共通の識別情報である共通識別情報として処理することで、前記共通識別情報に基づく前記グループ席表示を形成する重複グループ席編集部を有する、
ことを特徴とする請求項１または請求項２に記載された席予約装置。
【請求項４】
前記グループ席表示は、隣接する前記単一席表示同士が連なった表示である、
ことを特徴とする請求項１から請求項３のいずれか１項に記載された席予約装置。
【請求項５】
前記グループ席表示は、前記単一席表示または背景が同一色である、
ことを特徴とする請求項１から請求項３のいずれか１項に記載された席予約装置。
【請求項６】
一連の予約または購入の取引において選択された複数の席に、同一の識別情報を関連付けて記憶させる席情報管理手順と、
前記席情報管理手順で記憶された同一の識別情報に基づく席を複数含むグループ席表示を形成し、このグループ席表示を表示させるグループ席形成手順と、を含む、
ことを特徴とする席予約方法。
【請求項７】
一連の予約または購入の取引において選択された複数の席に、同一の識別情報を関連付けて記憶させる席情報管理手順と、
前記席情報管理手順で記憶された同一の識別情報に基づく席を複数含むグループ席表示を形成し、このグループ席表示を表示させるグループ席形成手順と、をコンピュータに実行させる、
ことを特徴とする席予約プログラム。
【請求項８】
請求項７に記載された席予約プログラムが記録された、
ことを特徴とするコンピュータで読み取り可能な記録媒体。
【発明の詳細な説明】
【技術分野】
【０００１】
本発明は、席を予約または購入するための席予約装置、席予約方法、席予約プログラムおよび記録媒体に関するものである。
【背景技術】
【０００２】
従来、例えば、交通手段、映画、コンサートなどにおける座席を予約または購入（以下、予約または購入を「予約購入」と記す。）する際、オペレーターが常駐する窓口、自動券売機、インターネットなどが利用されている。
【０００３】
例えば、予約購入する者（以下、予約購入する者を「購入者」と記す。）が列車の座席を予約購入するためのシステムとして、下記特許文献1に記載された列車の座席予約システムがある。このシステムによれば、購入者の希望する条件に優先順位を設定することで、優先順に自動的に空席が検索される。
【先行技術文献】
【特許文献】
【０００４】
【特許文献１】特開２００５−１８３６９号公報
【発明の概要】
【発明が解決しようとする課題】
【０００５】
しかし、特許文献１に記載されたシステムは、希望する座席の周囲の状況を考慮して優先順位を設定するものではない。周囲の状況は、例えば、予約購入した座席の隣席や前後の座席が団体客であり、喧騒な雰囲気である場合がある。また、三人掛けの座席を二列に渡って五席予約購入し、座席を回転させ対面させたところ、残りの一席が別の購入者によって予約購入されており、対面させることについて配慮を要する場合がある。従来のシステムは、このような状況を考慮したものではない。
【０００６】
本発明は、上記の実情に鑑みて提案されたものである。すなわち、予約購入を希望する座席の周囲の座席の購入者が個人か団体かを知ることができる席予約装置、席予約方法、席予約プログラムおよび記録媒体の提供を目的とする。
【課題を解決するための手段】
【０００７】
上記した目的を達成するために、本発明に係る席予約装置は、予約または購入される単一の席を表す単一席表示が複数表示される表示部に、予約または購入の取引済の複数の前記単一席表示をグループ席表示として表示する、ことを特徴とする。
【０００８】
本発明に係る席予約装置は、一連の予約または購入の取引において選択された複数の席に、同一の識別情報を関連付けて記憶させる席情報管理部と、前記席情報管理部によって記憶された同一の識別情報に基づく前記単一席表示を複数含む前記グループ席表示を形成し、このグループ席表示を前記表示部に表示させるグループ席形成部と、を有する、ことを特徴とする。
【０００９】
本発明に係る席予約装置は、出発地から目的地までの複数の区間において、異なる区間における同一の席の識別情報である同一席識別情報、および、同一の区間における同一の前記同一席識別情報を、共通の識別情報である共通識別情報として処理することで、前記共通識別情報に基づく前記グループ席表示を形成する重複グループ席編集部を有する、ことを特徴とする。
【００１０】
本発明に係る席予約装置の前記グループ席表示は、隣接する前記単一席表示同士が連なった表示である、ことを特徴とする。
【００１１】
本発明に係る席予約装置の前記グループ席表示は、前記単一席表示または背景が同一色である、ことを特徴とする。
【００１２】
本発明に係る席予約方法は、一連の予約または購入の取引において選択された複数の席に、同一の識別情報を関連付けて記憶させる席情報管理手順と、前記席情報管理手順で記憶された同一の識別情報に基づく席を複数含むグループ席表示を形成し、このグループ席表示を表示させるグループ席形成手順と、を含む、ことを特徴とする。
【００１３】
本発明に係る席予約プログラムは、一連の予約または購入の取引において選択された複数の席に、同一の識別情報を関連付けて記憶させる席情報管理手順と、前記席情報管理手順で記憶された同一の識別情報に基づく席を複数含むグループ席表示を形成し、このグループ席表示を表示させるグループ席形成手順と、をコンピュータに実行させる、ことを特徴とする。
【００１４】
本発明に係るコンピュータで読み取り可能な記録媒体は、席予約プログラムが記録された、ことを特徴とする。
【発明の効果】
【００１５】
本発明に係る席予約装置は、予約または購入される単一の席を表す単一席表示が複数表示される表示部に、予約または購入の取引済の複数の前記単一席表示をグループ席表示として表示するものである。すなわち、グループ席表示の席を予約購入した購入者が団体客であると推測される。したがって、予約購入を希望する席の周囲の席の購入者が個人か団体かを知ることができる。喧騒な雰囲気を避けたい場合、購入者は、グループ席表示から離れた席を予約購入することができる。
【００１６】
本発明に係る席予約装置は、一連の予約または購入の取引において選択された複数の席に、同一の識別情報を関連付けて記憶させる席情報管理部と、席情報管理部によって記憶された同一の識別情報に基づく単一席表示を複数含むグループ席表示を形成し、このグループ席表示を表示部に表示させるグループ席形成部とを有するものである。すなわち、席情報管理部によって、一連の予約購入の取引において購入者によって選択された席に、同一の識別情報が関連付けられる。また、グループ席形成部によって、識別情報が共通する単一席表示が、グループ席表示としてまとまって表示部に表示される。したがって、予約購入を希望する席の周囲の席の購入者が個人か団体かを知ることができる。
【００１７】
本発明に係る席予約装置は、出発地から目的地までの複数の区間において、異なる区間における同一の席の識別情報である同一席識別情報、および、同一の区間における同一の同一席識別情報を、共通の識別情報である共通識別情報として処理することで、共通識別情報に基づくグループ席表示を形成する重複グループ席編集部を有するものである。すなわち、例えば、複数の区間を経て移動する交通機関などにおいては、特定の席を予約購入する購入者が区間によって異なり、ある区間では個人が席を予約購入し、その席を含む近隣の席を、他の区間では団体が予約購入する場合がある。この場合、特定の席において、区間ごとに単一席表示とグループ席表示とが混在することになる。そこで、重複グループ席編集部は、異なる区間における同一の席の識別情報が同一か否かにかかわらず、共通識別情報として同じ識別情報として処理し、同時に、同一の区間における同一の同一席識別情報も、共通識別情報として同じ識別情報として処理する。このことによって、複数の区間に渡って重複する単一席表示およびグループ席表示のすべてを含むグループ席表示が表示部に表示される。したがって、購入者が席を占有するすべての区間を通して、予約購入を希望する席の周囲の席の購入者が個人か団体かを知ることができる。
【００１８】
本発明に係る席予約装置のグループ席表示は、隣接する単一席表示同士が連なった表示である。この構成により、購入者は、近接した複数の単一席表示に関連性があることを、視覚的に看取することができる。したがって、予約購入を希望する席の周囲の席の購入者が個人か団体かを知ることができる。
【００１９】
本発明に係る席予約装置のグループ席表示は、単一席表示または背景が同一色である。この構成により、購入者は、近接した複数の単一席表示に関連性があることを、視覚的に看取することができる。したがって、予約購入を希望する席の周囲の席の購入者が個人か団体かを知ることができる。
【００２０】
本発明に係る席予約方法は、一連の予約または購入の取引において選択された複数の席に、同一の識別情報を関連付けて記憶させる席情報管理手順と、この席情報管理手順で記憶された同一の識別情報に基づく席を複数含むグループ席表示を形成し、このグループ席表示を表示させるグループ席形成手順とを含むものである。したがって、上記した席予約装置と同様に、予約購入を希望する席の周囲の席の購入者が個人か団体かを知ることができる。喧騒な雰囲気を避けたい場合、購入者は、グループ席表示から離れた席を予約購入することができる。
【００２１】
本発明に係る席予約プログラムは、一連の予約または購入の取引において選択された複数の席に、同一の識別情報を関連付けて記憶させる席情報管理手順と、この席情報管理手順で記憶された同一の識別情報に基づく席を複数含むグループ席表示を形成し、このグループ席表示を表示させるグループ席形成手順とをコンピュータに実行させるものである。したがって、上記した席予約装置と同様に、予約購入を希望する席の周囲の席の購入者が個人か団体かを知ることができる。喧騒な雰囲気を避けたい場合、購入者は、グループ席表示から離れた席を予約購入することができる。
【００２２】
本発明に係る席予約プログラムが記録されたコンピュータで読み取り可能な記録媒体は、上記した席予約装置と同様に、予約購入を希望する席の周囲の席の購入者が個人か団体かを知ることができる。喧騒な雰囲気を避けたい場合、購入者は、グループ席表示から離れた席を予約購入することができる。
【図面の簡単な説明】
【００２３】
【図１】図１は、本発明の実施形態に係る席予約装置による処理結果が表示部に表された状態のイメージ図である。
【図２】図２は、本発明の実施形態に係る席予約装置のハードウェア概略構成図である。
【図３】図３は、本発明の実施形態に係る席予約装置の席情報管理部の処理の流れ、および、席情報テーブルが示された処理フロー説明図である。
【図４】図４は、本発明の実施形態に係る席予約装置のグループ席形成部の処理の流れ、および、席情報テーブルが示された処理フロー説明図である。
【図５】図５は、本発明の実施形態に係る席予約装置の重複グループ席編集部の処理の流れが示された処理フロー図である。
【図６】図６は、本発明の実施形態に係る席予約装置の第一実施例を席情報テーブルに基づいて説明するための説明図である。
【図７】図７は、本発明の実施形態に係る席予約装置の第二実施例を席情報テーブルに基づいて説明するための説明図である。
【発明を実施するための形態】
【００２４】
以下に、本発明の実施形態に係る席予約装置を図面に基づいて説明する。図１は、席予約装置による処理結果が表示部に表された状態のイメージが示されている。なお、本実施形態は、交通手段として鉄道が選択され、鉄道の席を予約購入するものであり、駅に設置されている乗車券自動発券機（図示省略）などによって実現される。本発明は、例えば、バス、航空機または船舶などの交通手段における席の予約や、例えば、映画、コンサートなど、その他のアミューズメントにおける席の予約にも用いられる。
【００２５】
図１に示されているとおり、席予約装置は、予約購入される単一の席を表す単一席表示２１が複数表示される表示部に、予約購入の取引済の複数の単一席表示２１をグループ席表示２２として表示するものである。表示部は、席の予約購入状況が、車両ごとに表示される。例えば、単一席表示２１は、席ごとに区切られた単一の領域である。グループ席表示２２は、隣接する単一席表示２１同士が連なった表示である。単一席表示２１は、空席であれば、空席表示として例えば丸印で表示され、活性状態である。単一席表示２１およびグループ席表示２２は、席が予約購入の取引済であれば、予約済表示として例えば灰色で表示され、非活性状態である。なお、グループ席表示２２は、個々の単一席表示２１を、連ねることなく同一色または同系色で表したものであってもよく、また、背景を同一色または同系色で表したグループ席表示２２ａであってもよい。
【００２６】
次に、席予約装置のハードウェア構成の概略を図面に基づいて説明する。図２は、席予約装置１００のハードウェア概略構成が示されている。
【００２７】
図２に示されているとおり、席予約装置１００は、少なくとも記憶部２、入力部６、出力部７および制御部（図示省略）などが備えられている。記憶部２は、ＲＯＭ３、ＲＡＭ４、ＨＤＤ５などから構成される。入力部６は、例えば、感圧式や静電容量式のタッチパネルなどである。なお、入力部６は、キーボードやマウスによって実現されてもよい。出力部７は、例えば、表示部としての液晶ディスプレイなどから構成される。この場合、出力部７は入力部６と一体である。制御部はＣＰＵ１などにより実現され、入力部６からの入力情報を検出すると共に、ＲＯＭ３に格納されたプログラムに従って、ＣＰＵ１に実行させるＯＳ（Ｏｐｅｒａｔｉｎｇ  Ｓｙｓｔｅｍ）のプログラムやアプリケーションプログラムの一部が格納されたＲＡＭ４を使用して、席情報管理部１０、グループ席形成部１１および重複グループ席編集部１２を制御し、入力情報の処理結果を出力部７に出力する。なお、これらの各部１０から１２に関し、ひとつの装置に実装されて構成されるか、ネットワークで接続された複数の装置から構成されるかは任意である。
【００２８】
席予約装置１００は、ハードウェア構成、ＤＳＰ（Ｄｉｇｉｔａｌ  Ｓｉｇｎａｌ  Ｐｒｏｃｅｓｓｏｒ）、ＭＰＵ（Ｍｉｃｒｏ  Ｐｒｏｃｅｓｓｉｎｇ  Ｕｎｉｔ）、ソフトウェアによって実現することが可能である。例えば、ソフトウェアによって実現する場合、実際にはコンピュータのＣＰＵ１、あるいはＭＰＵ、ＲＯＭ３、ＲＡＭ４などを備えて構成し、ＲＯＭ３やＲＡＭ４に記憶されたプログラムが動作することによって実現できる。
【００２９】
したがって、コンピュータが各部１０から１２の機能を、席情報管理手順、グループ席形成手順および重複グループ席編集手順として果たすように動作させる席予約プログラムを、例えばＣＤ−ＲＯＭなどの記録媒体に記録し、コンピュータに読み込ませることによって実現できる。席予約プログラムを記録する記録媒体としては、ＤＶＤ、ＣＤ−ＲＯＭ以外に、例えばフレキシブルディスク、光ディスクなどを用いることができる。
【００３０】
席予約装置１００は、ＡＳＰ（Ａｐｐｌｉｃａｔｉｏｎ  Ｓｅｒｖｉｃｅ  Ｐｒｏｖｉｄｅｒ）として機能させてもよく、席予約プログラムをインターネットなどのネットワークを介してコンピュータにダウンロードすることによっても実現できる。さらに、これらのハードウェア、ソフトウェア資源を、ネットワークを介してアクセス可能なクラウドなどの態様で提供することもできる。
【００３１】
次に、席予約装置１００の構成を説明する。席予約装置１００は、席情報管理部１０、グループ席形成部１１および重複グループ席編集部１２を有する。席予約装置１００は、単一または複数のサーバーシステムであり、必要に応じて通信ネットワークに適宜接続されている。通信ネットワークは、例えばインターネット、専用線により接続されたネットワーク、企業内ＬＡＮ、企業間ＬＡＮ、ＷＡＮなどである。通信回線の形態は、例えば有線通信、無線通信、衛星通信などである。
【００３２】
ここで、席情報管理部１０における席情報管理処理を図面に基づいて説明する。図３は、席情報管理処理の流れ、および、席情報テーブル２０が示されている。席情報管理部１０による席情報管理処理では、一連の予約購入の取引において選択された複数の席に同一の識別情報が関連付けられ、席ごとの識別情報が席情報テーブル２０に記憶される。
【００３３】
図３に示されているとおり、予約購入の取引が開始される（ステップＳ１−１）。表示部において、購入者が所望の単一席表示のうち、空席表示にタッチして席を選択すると、席情報管理部１０は、席の位置を取得し（ステップＳ１−２）、席情報テーブル２０に基づいて、空席状況を確認する（ステップＳ１−３）。ここで、購入者が、一連の手続において複数の席を予約購入する場合、ステップＳ１−２において、複数の席が選択され、席情報管理部１０はそれぞれの席の位置を取得し（ステップＳ１−２）、席情報テーブル２０に基づいて、それぞれの空席状況を確認する（ステップＳ１−３）。
【００３４】
席情報テーブル２０は、車両ごとまたは車両全体における席の予約購入状況が記憶されている。席情報テーブル２０は、例えば、「座席位置」「予約購入の状態」「識別情報」が格納されている。「座席位置」は、例えば、「○列目Ａ席」「○列目Ｂ席」などである。「予約購入の状態」は、“空き”“予約済”などである。「識別情報」は、席ごと（購入者ごと）に一意な値で表されるユーザ識別情報である。識別情報は、例えば、乗車券自動発券機端末の端末番号や予約購入日時などから構成されている。
【００３５】
この席情報テーブル２０に基づいて、選択されたすべての席が空席であるか否かが判定される（ステップＳ１−４）。選択されたすべての席の「状態」が“空き”であれば、「状態」が“予約済”に更新されると共に（ステップＳ１−５）、その席に関連付けられた同一の識別情報が記憶され（ステップＳ１−６）、処理が終了する（ステップＳ１−７）。例えば、Ｄ席およびＥ席が選択された場合（ステップＳ１−２）、これらの席の空席状況が席情報テーブル２０に基づいて判定され（ステップＳ１−３、１−４）、Ｄ席およびＥ席の「状態」が“空き”であるため、いずれの「識別情報」にも同一の“う”が記憶される。
【００３６】
一方、ステップＳ１−４の判定において、席情報テーブル２０における「座席位置」の「状態」が“予約済”であれば、その旨が表示部に表示され、処理が終了し（ステップＳ１−７）、ステップＳ１−１に戻る。購入者が、所望の席を予約購入できれば、予約購入の取引が終了する。
【００３７】
次に、グループ席形成部１１におけるグループ席形成処理を図面に基づいて説明する。図４は、グループ席形成処理の流れ、および、席情報テーブル２０が示されている。グループ席形成部１１によるグループ席形成処理では、席情報管理部１０の席情報管理処理によって席情報テーブル２０に記憶された同一の識別情報に基づく単一席表示を複数含むグループ席表示が形成され、このグループ席表示が表示部に表示される。
【００３８】
図４に示されているとおり、表示部における席位置表示画面を、席情報テーブル２０に基づいて編集する処理が開始される（ステップＳ２−１）。席情報テーブル２０における「座席位置」が参照され（ステップＳ２−２）、席ごとの空席状況が確認される（ステップＳ２−３）。席情報テーブル２０に基づいて、席が予約済であるか否かが判定される（ステップＳ２−４）。席の「状態」が“空き”である場合、単一席表示が空席表示として表示部に表示される（ステップＳ２−６）。例えば、席情報テーブル２０においてＢ席が参照された場合（ステップＳ２−２）、Ｂ席の「状態」が“空き”であるため（ステップＳ２−３、２−４）、単一席表示２１ｂが空席表示として表示部に表示される（ステップＳ２−６、図１参照）。
【００３９】
ステップＳ２−４において、席の「状態」が“予約済”である場合、「識別情報」が同一である席が存在するか否かが判定される（ステップＳ２−５）。「識別情報」が同一である席が存在しない場合、単一席表示が予約済表示として表示部に表示される（ステップＳ２−７）。例えば、席情報テーブル２０においてＡ席が参照された場合（ステップＳ２−２）、Ａ席の「状態」が“予約済”であり（ステップＳ２−３、Ｓ２−４）、かつ、「識別情報」である“あ”と同一の席が他に存在しないため（ステップＳ２−５）、単一席表示２１ａが予約済表示として表示部に表示される（ステップＳ２−７、図１参照）。
【００４０】
ステップＳ２−５において、「識別情報」が同一である席が存在する場合、同一の「識別情報」に基づく複数の単一席表示を含むグループ席表示が形成され、グループ席表示が予約済表示として表示部に表示される（ステップＳ２−８）。例えば、席情報テーブル２０においてＤ席が参照された場合、（ステップＳ２−２）、Ｄ席の「状態」が“予約済”であり（ステップＳ２−３、Ｓ２−４）、かつ、「識別情報」である“う”が同一であるＥ席が存在するため（ステップＳ２−５）、同一の「識別情報」である“う”に基づくＤ席およびＥ席の単一席表示を含むグループ席表示２２ｄが形成され、このグループ席表示２２ｄが予約済表示として表示部に表示される（ステップＳ２−８、図１参照）。
【００４１】
席情報テーブル２０におけるすべての「座席位置」が参照されると（ステップＳ２−２〜Ｓ２−９）、処理が終了する（ステップＳ２−１０）。
【００４２】
次に、重複グループ席編集部１２による重複グループ席編集処理を図面に基づいて説明する。図５は、重複グループ席編集処理の流れが示されている。重複グループ席編集部１２による重複グループ席編集処理では、出発地から目的地までの複数の区間において、異なる区間における同一の席の識別情報である同一席識別情報、および、同一の区間における同一の同一席識別情報を、共通する識別情報である共通識別情報として処理することで、共通識別情報に基づくグループ席表示が形成される。
【００４３】
図５に示されているとおり、重複グループ席編集処理が開始されると（ステップＳ３−１）、席情報テーブル２０における最初の「区間」が参照され（ステップＳ３−２）、参照された「区間」の「座席位置」が参照される（ステップＳ３−３）。参照された席を基準として、次の「区間」以降における席の「状態」が参照され（ステップＳ３−４）、予約済であるか否かが判定される（ステップＳ３−５）。判定された席の「状態」が“予約済”である場合、ステップＳ３−３で参照された席の購入者と、ステップＳ３−５で判定された席の購入者とが、同一であるとみなされる（ステップＳ３−６）。すなわち、異なる区間における同一の席の識別情報が、区間ごとに異なる場合、席を予約購入した購入者は、区間ごとに異なると推測されるが、重複グループ席編集処理では、異なる区間における同一の席の識別情報が、共通の識別情報として処理される。さらに、ステップＳ３−４で判定された区間において、ステップＳ３−５で判定された席の「識別情報」と同じ「識別情報」が関連付けられた席の購入者は、ステップＳ３−５で判定された席の購入者と同一であるとみなされる（ステップＳ３−７）。すなわち、同一の区間における同一の識別情報が、共通の識別情報として処理される。
【００４４】
ステップＳ３−５において、席の「状態」が“空き”である場合、「座席位置」の参照が完了し、次の座席位置が参照される（ステップＳ３−３〜Ｓ３−８）。参照された「区間」におけるすべての「座席位置」が参照されると（ステップＳ３−２〜Ｓ３−９）、次の区間が参照される（ステップＳ３−２）。最後の「区間」が参照されると（ステップＳ３−２〜Ｓ３−９）、グループ席形成部１１によるグループ席形成処理が実行される（ステップＳ３−１０、図３：ステップＳ２−１〜Ｓ２−１０）。グループ席形成処理が終了すると、重複グループ席編集処理が終了する（ステップＳ３−１１）。
【００４５】
次に、実施例に則って、席予約装置１００による処理を図面に基づいて説明する。図６は、第一実施例として、複数の区間が設定された席情報テーブル２０に基づく重複グループ席編集処理の流れが示され、図７は、第二実施例として、複数の区間が設定された席情報テーブル２０に基づく重複グループ席編集処理の流れが示されている。
【００４６】
＜第一実施例＞
図６（ａ）において、例えば、出発地が東京であり、目的地が博多であるとする。東京−博多間の区間は三つであり、「区間１」が東京から名古屋まで、「区間２」が名古屋から新大阪まで、「区間３」が新大阪から博多までである。席情報テーブル２０によれば、同一の「区間１」において、Ｄ席とＥ席の識別情報は、同一の“い”であり、同一の「区間２」において、Ｃ席とＤ席の識別情報は、同一の“う”である。したがって、仮に、“い”に基づく単一席表示を複数含むＤ席およびＥ席のグループ席表示、“う”に基づく単一席表示を複数含むＣ席およびＤ席のグループ席表示が形成された場合、「区間１」のＤ席およびＥ席のグループ席表示と「区間２」のＣ席およびＤ席のグループ席表示とが重複し、さらに、「区間１」のＤ席およびＥ席のグループ席表示と「区間３」のＥ席の単一席表示とが重複してしまう。
【００４７】
そこで、重複グループ席編集部１２による重複グループ席編集処理では、東京から博多までの三つの区間において、「区間１」「区間２」におけるＤ席の同一席識別情報“い”“う”と、「区間１」における同一席識別情報“い”および「区間２」における同一席識別情報“う”とが、共通識別情報“い”として処理される。また、「区間１」「区間３」におけるＥ席の同一席識別情報“い”“え”が、共通識別情報“い”として処理される。この共通識別情報に基づいて、席情報管理部１１による席情報管理処理では、「区間１」のＤ席およびＥ席のグループ席表示、「区間２」のＣ席およびＤ席のグループ席表示、「区間３」のＥ席の単一席表示をすべて含むグループ席表示が形成される。
【００４８】
図６（ａ）において、「区間１」のＤ席が参照された場合（ステップＳ３−２、Ｓ３−３）、このＤ席を基準として、次の区間である「区間２」のＤ席の「状態」が参照される（ステップＳ３−４）。「区間２」のＤ席の「状態」が“予約済”であり、さらに、「区間２」におけるＤ席の「識別情報」と同じ“う”が関連付けられたＣ席が存在するため、異なる区間である「区間１」「区間２」における同一のＤ席の「識別情報」、および、同一の「区間２」における同一の「識別情報」が、「区間１」のＤ席と共通する“い”に編集される（ステップＳ３−６〜Ｓ３−７、図６（ｂ）参照）。次の区間である「区間３」のＤ席の「状態」が “空き”であるため（ステップＳ３−５）、次の座席位置が参照される（ステップＳ３−３〜Ｓ３−８）。
【００４９】
図６（ａ）において、「区間１」のＥ席が参照された場合（ステップＳ３−３）、このＥ席を基準として、次の区間である「区間２」のＥ席の「状態」が参照される（ステップＳ３−４）。「区間２」のＥ席の「状態」が“空き”であるため、次の区間である「区間３」のＥ席の「状態」が参照される（ステップＳ３−４）。「区間３」のＥ席の「状態」が“予約済”であるため（ステップＳ３−５）、異なる区間である「区間１」「区間３」における同一のＥ席の「識別情報」が、「区間１」のＥ席と共通する“い”に編集される（ステップＳ３−６、図６（ｃ）参照）。
【００５０】
上記の処理が繰り返され、最後の「区間３」が参照されて処理されると（ステップＳ３−２〜Ｓ３−９）、グループ席形成部１１によるグループ席形成処理が実行される（図２：ステップＳ２−１〜Ｓ２−１０）。なお、Ａ席およびＢ席における処理は、説明を省略する。
【００５１】
以上の処理により、図６（ｃ）に示されているとおり、東京−博多間における席の予約購入の取引では、Ｃ席、Ｄ席およびＥ席がグループ席表示として表示部に表示される。
【００５２】
＜第二実施例＞
図７（ａ）において、例えば、出発地が名古屋であり、目的地が博多であるとする。名古屋−博多間の区間は二つであり、「区間２」が名古屋から新大阪まで、「区間３」が新大阪から博多までである。席情報テーブル２０によれば、同一の「区間２」において、Ｃ席とＤ席の識別情報は、同一の“う”である。したがって、グループ席形成部１１によるグループ席形成処理では、“う”に基づく単一席表示を複数含むグループ席表示が形成され、Ｃ席およびＤ席がグループ席表示として表示部に表示される。なお、各席は、「区間２」「区間３」において識別情報が異なり、同一席識別情報が存在しないため、重複グループ席編集部１２による重複グループ席編集処理は実行されない。
【００５３】
図７（ａ）において、「区間２」のＣ席が参照された場合（ステップＳ２−２）、Ｃ席の「状態」が“予約済”であり（ステップＳ２−３、Ｓ２−４）、かつ、「識別情報」である“う”が同一であるＤ席が存在するため（ステップＳ２−５）、同一の「識別情報」である“う”に基づくＣ席およびＤ席の単一席表示を含むグループ席表示が形成され、このグループ席表示が予約済表示として表示部に表示される（ステップＳ２−８、図７（ｂ）参照）。
【００５４】
「区間２」のＥ座が参照された場合（ステップＳ２−２）、Ｅ席の「状態」が“空き”であるため（ステップＳ２−３、２−４）、単一席表示が空席表示として表示部に表示される（ステップＳ２−６、図７（ｂ）参照）。なお、「区間２」のＡ席およびＢ席における処理は、説明を省略する。
【００５５】
図７（ａ）において、「区間３」のＥ座が参照された場合（ステップＳ２−２）、Ｅ席の「状態」が“予約済”であり（ステップＳ２−３、２−４）、かつ、「識別情報」である“え”と同一の席が他に存在しないため（ステップＳ２−５）、単一席表示が予約済表示として表示部に表示される（ステップＳ２−７、図７（ｃ）参照）。なお、「区間３」のＡ席からＤ席における処理は、説明を省略する。
【００５６】
第一実施例および第二実施例を比較すると、同じ鉄道車両であっても、Ｃ席、Ｄ席およびＥ席において、区間が異なることでグループ席表示の範囲が異なることがわかる。すなわち、例えば、東京−博多間の席の予約購入の取引では、図６（ｃ）のようなグループ席表示が表示部に表示され、一方、名古屋−博多間の席の予約購入の取引では、図７（ｃ）のようなグループ席表示が表示部に表示される。
【００５７】
以上のとおり、席予約装置１００が実行される。次に、席予約装置１００の効果を説明する。
【００５８】
席予約装置１００では、席情報管理部１０による席情報管理処理によって、一連の予約購入の取引において購入者によって選択された複数の席に同一の識別情報が関連付けられ、席ごとの識別情報が席情報テーブル２０に記憶される。さらに、グループ席形成部１１によるグループ席形成処理によって、席情報管理処理で席情報テーブル２０に記憶された同一の識別情報に基づく単一席表示を複数含むグループ席表示２２が形成され、このグループ席表示２２が表示部に表示される。すなわち、識別情報が共通する同一の単一席表示が、グループ席表示としてまとまって表示部に表示されるため、グループ席表示２２により、席を予約購入した購入者が団体客であると推測される（図１参照）。したがって、予約購入を希望する席の周囲の席の購入者が個人か団体かを知ることができる。喧騒な雰囲気を避けたい場合、購入者は、グループ席表示２２から離れた席を予約購入することができる。
【００５９】
席予約装置１００では、重複グループ席編集部１２による重複グループ席編集処理によって、出発地から目的地までの複数の区間において、異なる区間における同一の席の識別情報である同一席識別情報、および、同一の区間における同一の同一席識別情報が、共通する識別情報である共通識別情報として処理されることで、共通識別情報に基づくグループ席表示が形成される。すなわち、重複グループ席編集部１２は、異なる区間における同一の席の識別情報が同一か否かにかかわらず、共通識別情報として同じ識別情報として処理し、同時に、同一の区間における同一の同一席識別情報も、共通識別情報として同じ識別情報として処理する。このことによって、複数の区間に渡って重複する単一席表示２１およびグループ席表示２２のすべてを含むグループ席表示２２が表示部に表示される。したがって、購入者が席を占有するすべの区間を通して、予約購入を希望する席の周囲の席の購入者が個人か団体かを知ることができる。
【００６０】
席予約装置１００では、グループ席表示２２は、隣接する単一席表示２１同士が連なった表示であるか、または、背景を同一色または同系色で表したグループ席表示２２ａである（図１参照）。この構成により、購入者は、近接した複数の単一席表示２１に関連性があることを、視覚的に看取することができる。したがって、予約購入を希望する席の周囲の席の購入者が個人か団体かを知ることができる。
【００６１】
なお、他の実施形態の席予約装置は、駅の窓口に設置されてオペレーターによって操作される端末によって実現するものであってもよい。また、表示部は、電光掲示板や、インターネットを介した予約購入の取引におけるブラウザであってもよい。その場合、席の選択は表示部上で行われるのではなく、別の入力部が用いられる。また、他の実施形態の席予約装置は、時間と場所が異なる複数の取引で予約購入された席の単一席表示を、グループ席表示とすることができる。すなわち、１回目の取引で入力した個人情報、発券された乗車券の磁気情報、識別コードなどを、２回目以降の取引で読み込むことで、１回目の取引で予約購入された席に基づく単一席表示と、２回目の取引で予約購入された席に基づく単一席表示とを含めたグループ席表示を作成することができる。
【００６２】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００６３】
１                ＣＰＵ
２                記憶部
３                ＲＯＭ
４                ＲＡＭ
５                ＨＤＤ
６                入力部
７                出力部
１０              席情報管理部
１１              グループ席形成部
１２              重複グループ席編集部
２１，２１ａ，ｂ  単一席表示
２２，２２ａ、ｄ  グループ席表示
１００            席予約装置
【図１】
2019164439.tif 000003
【図２】
2019164439.tif 000004
【図３】
2019164439.tif 000005
【図４】
2019164439.tif 000006
【図５】
2019164439.tif 000007
【図６】
2019164439.tif 000008
【図７】
2019164439.tif 000009
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
予約または購入される単一の席を表す単一席表示が複数表示される表示部に、予約または購入の取引済の複数の前記単一席表示をグループ席表示として表示するものであり、
出発地から目的地までの複数の区間において、異なる区間における同一の席の識別情報である同一席識別情報、および、同一の区間における同一の前記同一席識別情報を、共通の識別情報である共通識別情報として処理することで、前記共通識別情報に基づく前記グループ席表示を形成する重複グループ席編集部を有する、
ことを特徴とする席予約装置。
【請求項２】
一連の予約または購入の取引において選択された複数の席に、同一の識別情報を関連付けて記憶させる席情報管理部と、
前記席情報管理部によって記憶された同一の識別情報に基づく前記単一席表示を複数含む前記グループ席表示を形成し、このグループ席表示を前記表示部に表示させるグループ席形成部と、を有する、
ことを特徴とする請求項１に記載された席予約装置。
【請求項３】
前記グループ席表示は、隣接する前記単一席表示同士が連なった表示である、
ことを特徴とする請求項１または請求項２に記載された席予約装置。
【請求項４】
前記グループ席表示は、前記単一席表示または背景が同一色である、
ことを特徴とする請求項１から請求項３のいずれか１項に記載された席予約装置。
【請求項５】
一連の予約または購入の取引において選択された複数の席に、同一の識別情報を関連付けて記憶させる席情報管理手順と、
前記席情報管理手順で記憶された同一の識別情報に基づく席を複数含むグループ席表示を形成するものであって、出発地から目的地までの複数の区間において、異なる区間における同一の席の識別情報である同一席識別情報、および、同一の区間における同一の前記同一席識別情報を、共通の識別情報である共通識別情報として処理することで、前記共通識別情報に基づく前記グループ席表示を形成する重複グループ席編集手順と、をコンピュータに実行させる、
ことを特徴とする席予約プログラム。
【請求項６】
請求項５に記載された席予約プログラムが記録された、
ことを特徴とするコンピュータで読み取り可能な記録媒体。